(57)【要約】【課題】ＯＬＴ及びＯＮＵのうちの少なくとも一方がデジタル信号処理を実行する場合でも、伝送路の距離を得ることが可能である加入者線端局装置を提供する。【解決手段】加入者線端局装置は、加入者線終端装置及び自装置の間のラウンドトリップタイムの測定結果から、デジタル信号処理により生じる遅延時間を減算する時間補正部と、前記ラウンドトリップタイムから前記遅延時間が減算された結果に基づいて、前記加入者線終端装置及び自装置の間の伝送路の距離を得る距離取得部とを備える。【選択図】図２
2019022158.tif 000002
【特許請求の範囲】
【請求項１】
加入者線終端装置及び自装置の間のラウンドトリップタイムの測定結果から、デジタル信号処理により生じる遅延時間を減算する時間補正部と、
前記ラウンドトリップタイムから前記遅延時間が減算された結果に基づいて、前記加入者線終端装置及び自装置の間の伝送路の距離を得る距離取得部と
を備える加入者線端局装置。
【請求項２】
前記時間補正部は、前記伝送路を介さずに互いに接続された前記加入者線終端装置及び自装置の間のラウンドトリップタイムの測定結果に基づいて、前記デジタル信号処理により生じる遅延時間を得る、請求項１に記載の加入者線端局装置。
【請求項３】
前記時間補正部は、前記測定結果から、前記加入者線終端装置及び自装置のうちの少なくとも一方におけるデジタル信号処理により生じる遅延時間を減算する、請求項１又は請求項２に記載の加入者線端局装置。
【発明の詳細な説明】
【技術分野】
【０００１】
本発明は、加入者線端局装置に関する。
【背景技術】
【０００２】
アクセスサービスの高速化に対するニーズの高まりにより、ＦＴＴＨ（Fiber To The Home）の普及が世界的に進んでいる。ＦＴＴＨサービスの大部分は、経済性に優れたＰＯＮ（Passive Optical Network）方式により提供されている。日本における現在の主力システムは、伝送速度がギガビット級であるＧＥ−ＰＯＮである。ＧＥ−ＰＯＮは、イーサネット（登録商標）の通信をアクセスネットワークに適用することを目的に、ＩＥＥＥ（米国電気電子技術者協会）８０２委員会によって標準化されたＩＥＥＥ  ８０２．３ａｈ規格の一つである（非特許文献１参照）。
【０００３】
図６は、ＧＥ−ＰＯＮ（Gigabit Ethernet（登録商標）-Passive Optical Network）システムの構成の例を示す図である。ＰＯＮでは、１台のＯＬＴ（Optical Line Terminal）（加入者線端局装置）は、時分割多重（ＴＤＭ: Time Division Multiplexing）によって、複数のＯＮＵ（Optical Network Unit）（加入者線終端装置）を収容する。
【０００４】
図７は、ＧＥ−ＰＯＮシステムのレイヤ構造の例を示す図である。ＯＮＵは、ＰＨＹ（PHYsical sublayer）と呼ばれる物理層と、ＭＡＣ（Media Access Control）と呼ばれるデータリンク副層とを備える。ＭＡＣは、ＭＡＣ制御副層（MAC control client）と、ＭＡＣ副層とを備える。ＭＡＣ制御副層は、ＭＡＣ副層のリアルタイム制御及び操作を実行するオプションのサブレイヤである。ＭＡＣ副層は、データのＭＡＣフレーム化（フレーム化、ＭＡＣアドレス付加、エラー検出）及び媒体アクセス（衝突検知、延期処理）を実行するサブレイヤである。
【０００５】
物理層は、ＭＡＣと物理層との仲介を担うＲＳ（Reconciliation sublayer）及びＧＭＩＩ（Gigabit media independent interface）を介して、ＭＡＣと接続される。物理層は、ＰＣＳ（Physical Coding Sublayer）と呼ばれる物理符号化副層と、ＰＭＤ（Physical Medium Dependent）と呼ばれる物理媒体依存部とを備える。ＰＣＳは、データを符号化するサブレイヤである。ＰＭＤは、物理媒体に接続される依存部である。ＰＭＡ（Physical Medium Attachment）は、ＰＣＳ及びＰＭＤの間のデータをシリアル化する。
【０００６】
ＰＯＮ方式のディスカバリプロセスにおいて、ＯＬＴは、ＯＬＴ及びＯＮＵの間のフレーム往復時間であるラウンドトリップタイム（ＲＴＴ: Round Trip Time）を、ＯＮＵごとに測定する。ＯＬＴは、ラウンドトリップタイムを定期的に測定する。ＯＬＴは、伝送路の線路条件の変化などによりラウンドトリップタイムにズレが生じた場合、ラウンドトリップタイムを随時補正する。
【０００７】
図８は、ラウンドトリップタイムの例を示す図である。ラウンドトリップタイムは、式（１）によって表される。
【０００８】
ＲＴＴ
＝Ｔｒｅｓｐｏｎｓｅ−Ｔｗａｉｔ
＝ＴＤｏｗｎｓｔｒｅａｍ＋ＴＵｐｓｔｒｅａｍ  …（１）
【０００９】
ここで、Ｔｒｅｓｐｏｎｓｅは、ＯＬＴが「Ｄｉｓｃｏｖｅｒｙ  ＧＡＴＥ信号」の送信処理を開始してから「Ｒｅｇｉｓｔｅｒ  ＲＥＱ信号」の受信処理を完了するまでの経過時間を表す。図８では、Ｔｗａｉｔは、ＯＮＵが「Ｄｉｓｃｏｖｅｒｙ  ＧＡＴＥ信号」の受信処理を完了してから、ＯＮＵが「Ｒｅｇｉｓｔｅｒ  ＲＥＱ信号」の送信処理を開始するまでの時間を表す。ＴＤｏｗｎｓｔｒｅａｍは、ＯＬＴからＯＮＵへの下りの伝搬遅延を表す。ＴＵｐｓｔｒｅａｍは、ＯＮＵからＯＬＴへの上りの伝搬遅延を表す。また、ＯＬＴは、ラウンドトリップタイムの測定結果に基づいて、伝送路の距離を得る（非特許文献２参照）。
【００１０】
一方で、ユーザトラフィックの要求の増大に伴い、光アクセスネットワークの大容量化及び経済化が求められている。大容量化及び経済化の実現に向けて、デジタル信号処理（ＤＳＰ：Digital Signal Processing）技術が適用されたＰＯＮシステムであるＤＳＰ−ＰＯＮ方式の研究開発及び実用化が活発化している。
【先行技術文献】
【非特許文献】
【００１１】
【非特許文献１】IEEE Standard 802.3ah，2004年
【非特許文献２】ITU-T_G.989.3
【発明の概要】
【発明が解決しようとする課題】
【００１２】
ＤＳＰ−ＰＯＮでは、ＯＬＴ及びＯＮＵのうちの少なくとも一方は、デジタル信号処理（ＤＳＰ）を実行する。しかしながら、従来の加入者線端局装置は、ＯＬＴ及びＯＮＵのうちの少なくとも一方がデジタル信号処理を実行する場合、伝送路の距離を得ることができない場合があった。
【００１３】
上記事情に鑑み、本発明は、ＯＬＴ及びＯＮＵのうちの少なくとも一方がデジタル信号処理を実行する場合でも、伝送路の距離を得ることが可能である加入者線端局装置を提供することを目的としている。
【課題を解決するための手段】
【００１４】
本発明の一態様は、加入者線終端装置及び自装置の間のラウンドトリップタイムの測定結果から、デジタル信号処理により生じる遅延時間を減算する時間補正部と、前記ラウンドトリップタイムから前記遅延時間が減算された結果に基づいて、前記加入者線終端装置及び自装置の間の伝送路の距離を得る距離取得部とを備える加入者線端局装置である。
【００１５】
本発明の一態様は、上記の加入者線端局装置であって、前記時間補正部は、前記伝送路を介さずに互いに接続された前記加入者線終端装置及び自装置の間のラウンドトリップタイムの測定結果に基づいて、前記デジタル信号処理により生じる遅延時間を得る。
【００１６】
本発明の一態様は、上記の加入者線端局装置であって、前記時間補正部は、前記測定結果から、前記加入者線終端装置及び自装置のうちの少なくとも一方におけるデジタル信号処理により生じる遅延時間を減算する。
【発明の効果】
【００１７】
本発明により、ＯＬＴ及びＯＮＵのうちの少なくとも一方がデジタル信号処理を実行する場合でも、伝送路の距離を得ることが可能である。
【図面の簡単な説明】
【００１８】
【図１】第１実施形態における、ＤＳＰ−ＰＯＮシステムの構成の例を示す図である。
【図２】第１実施形態における、ＤＳＰ−ＰＯＮシステムのレイヤ構造の例を示す図である。
【図３】第１実施形態における、デジタル信号処理により生じる遅延時間の測定例を示す図である。
【図４】第２実施形態における、デジタル信号処理により生じる遅延時間の測定例を示す図である。
【図５】第３実施形態における、ＤＳＰ−ＰＯＮシステムのレイヤ構造の例を示す図である。
【図６】ＧＥ−ＰＯＮシステムの構成の例を示す図である。
【図７】ＧＥ−ＰＯＮシステムのレイヤ構造の例を示す図である。
【図８】ラウンドトリップタイムの例を示す図である。
【発明を実施するための形態】
【００１９】
本発明の実施形態について、図面を参照して詳細に説明する。
（第１実施形態）
図１は、ＤＳＰ−ＰＯＮシステム１の構成の例を示す図である。ＤＳＰ−ＰＯＮシステム１は、加入者線端局装置であるＯＬＴ３と、加入者線終端装置であるＯＮＵ５−１〜５−Ｘ（Ｘは、１以上の整数）とを備える。ＤＳＰ−ＰＯＮシステム１では、１台のＯＬＴ３が、時分割多重によって複数のＯＮＵ５（加入者線終端装置）を収容する。ＯＬＴ３は、光ファイバである伝送路を介して、下り光信号をＯＮＵ５−ｘ（ｘは、１〜Ｘのうちのいずれか）に送信する。光スプリッタは、伝送路を各ＯＮＵ５に分岐する。これによって、光スプリッタは、下り光信号を各ＯＮＵ５に分配する。光スプリッタは、伝送路をＯＬＴ３に集約する。これによって、光スプリッタは、各ＯＮＵ５から送信された上り光信号を合波する。各ＯＮＵ５は、伝送路を介して、上り光信号を時分割多重によってＯＬＴ３に送信する。
【００２０】
ＯＬＴ３は、ＯＬＴ３及びＯＮＵ５の間のラウンドトリップタイムを、ＯＮＵ５ごとに定期的に測定する。ＯＬＴ３は、ＰＨＹと呼ばれる物理層３１と、データリンク副層であるＭＡＣ３２とを備える。ＯＬＴ３の物理層３１は、ＤＳＰ処理部３１１を備える。ＤＳＰ処理部３１１は、デジタル信号処理（ＤＳＰ）を実行する。
【００２１】
ＯＮＵ５は、ＰＨＹと呼ばれる物理層５１と、データリンク副層であるＭＡＣ５２とを備える。ＯＮＵ５の物理層５１は、ＤＳＰ処理部５１１を備える。ＤＳＰ処理部５１１は、デジタル信号処理を実行する。このように、ＯＬＴ３及びＯＮＵ５のうちの少なくとも一方は、デジタル信号処理を実行する機能部であるＤＳＰ処理部を備える。
【００２２】
図２は、ＤＳＰ−ＰＯＮシステム１のレイヤ構造の例を示す図である。ＯＬＴ３の物理層３１の構成は、ＤＳＰ処理部３１１とＡＤＣ（Digital to Analog Converter）／ＤＡＣ（Analog to Digital Converter）３１２とをＰＭＤが備える点を除き、図７に示すＯＬＴの物理層の構成と同様である。
【００２３】
ＡＤＣ／ＤＡＣ３１２のＤＡＣは、ＤＳＰ処理部３１１によってデジタル信号処理された下り信号を、アナログ信号に変換する。ＡＤＣ／ＤＡＣ３１２のＤＡＣは、アナログ信号を送信器（Ｔｘ：Transmitter）に出力する。
【００２４】
ＡＤＣ／ＤＡＣ３１２のＡＤＣは、受信器（Ｒｘ：Receiver）がＯＮＵ５から受信した上り光信号に応じたアナログ信号を、デジタル信号に変換する。ＡＤＣ／ＤＡＣ３１２のＡＤＣは、デジタル信号をＤＳＰ処理部３１１に出力する。ＤＳＰ処理部３１１は、ＡＤＣ／ＤＡＣ３１２のＡＤＣから取得したデジタル信号にデジタル信号処理を施す。
【００２５】
ＯＬＴ３のＭＡＣ３２の構成は、時間補正部３２１３と距離取得部３２１４をＭＡＣ制御副層３２１が備える点を除き、図７に示すＯＬＴのＭＡＣの構成と同様である。
【００２６】
ＭＡＣ制御副層３２１のディスカバリ処理部３２１１（Discovery process）は、ＯＬＴ３に接続されているＯＮＵ５を発見するためのプロセスであるディスカバリプロセスの実行を制御する。ディスカバリ処理部３２１１は、ディスカバリプロセスにおいて、ＯＬＴ３及びＯＮＵ５の間のラウンドトリップタイムを、ＯＮＵ５ごとに定期的に測定する。
【００２７】
ディスカバリ処理部３２１１は、例えば、ラウンドトリップタイムを測定するための応答信号である「Ｒｅｇｉｓｔｅｒ  ＲＥＱ信号」の送信を要求するための信号である「Ｄｉｓｃｏｖｅｒｙ  ＧＡＴＥ信号」を、ＯＬＴ３に接続されているＯＮＵ５に送信する。ディスカバリ処理部３２１１は、「Ｄｉｓｃｏｖｅｒｙ  ＧＡＴＥ信号」を取得したＯＮＵ５からＯＬＴ３に送信された「Ｒｅｇｉｓｔｅｒ  ＲＥＱ信号」から、「Ｒｅｇｉｓｔｅｒ  ＲＥＱ信号」の送信時刻情報を抽出する。ディスカバリ処理部３２１１は、「Ｒｅｇｉｓｔｅｒ  ＲＥＱ信号」の送信時刻情報と、ＯＬＴ３における「Ｒｅｇｉｓｔｅｒ  ＲＥＱ信号」の受信時刻情報と、ＯＬＴ３及びＯＮＵ５のクロックのずれ等の情報とに基づいて、ラウンドトリップタイムを測定する。
【００２８】
ＭＡＣ制御副層３２１のレポート処理部３２１２（Reporting process）は、上り光信号に帯域を割り当てる処理である帯域割当処理を実行する。レポート処理部３２１２は、上り光信号の送信を開始する時刻と、送信を許可する上り光信号のデータ量とを、帯域割当処理においてＯＮＵ５ごとに決定する。
【００２９】
図３は、デジタル信号処理により生じる遅延時間の測定例を示す図である。ＤＳＰ−ＰＯＮシステム１では、ＯＬＴ３及びＯＮＵ５の少なくとも一方に備えられたＤＳＰ処理部におけるデジタル信号処理により生じる遅延時間（タイムラグ）が、ラウンドトリップタイムに含まれている。図３では、デジタル信号処理を実行するＤＳＰ処理部は、ＯＬＴ３及びＯＮＵ５の両方に備えられている。ラウンドトリップタイム（ＲＴＴ）は、式（２）によって表される。
【００３０】
ＲＴＴ
＝Ｔｒｅｓｐｏｎｓｅ−Ｔｗａｉｔ
＝ＴＯＬＴ−Ｔｘ−ＤＳＰ＋ＴＤｏｗｎｓｔｒｅａｍ＋ＴＯＮＵ−Ｒｘ−ＤＳＰ
＋ＴＯＮＵ−Ｔｘ-ＤＳＰ＋ＴＵｐｓｔｒｅａｍ＋ＴＯＬＴ−Ｒｘ−ＤＳＰ  …（２）
【００３１】
ここで、Ｔｒｅｓｐｏｎｓｅは、ＯＬＴ３の送信器（Ｔｘ）に関するＤＳＰ処理部３１１が「Ｄｉｓｃｏｖｅｒｙ  ＧＡＴＥ信号」の送信処理を開始してから、ＯＬＴ３の受信器（Ｒｘ）に関するＤＳＰ処理部５１１が「Ｒｅｇｉｓｔｅｒ  ＲＥＱ信号」の受信処理を完了するまでの経過時間を表す。Ｔｗａｉｔは、ＯＮＵ５がデジタル信号処理による「Ｄｉｓｃｏｖｅｒｙ  ＧＡＴＥ信号」の受信処理を完了してから、ＯＮＵ５がデジタル信号処理による「Ｒｅｇｉｓｔｅｒ  ＲＥＱ信号」の送信処理を開始するまでの時間を表す。
【００３２】
ＴＯＬＴ−Ｔｘ−ＤＳＰは、ＯＬＴ３の送信器（Ｔｘ）に関するデジタル信号処理により生じる遅延時間を表す。ＴＤｏｗｎｓｔｒｅａｍは、伝送路における下りの伝搬遅延を表す。ＴＯＮＵ−Ｒｘ−ＤＳＰは、ＯＮＵ５の受信器（Ｒｘ）に関するデジタル信号処理により生じる遅延時間を表す。ＴＯＮＵ−Ｔｘ−ＤＳＰは、ＯＮＵ５の送信器（Ｔｘ）に関するデジタル信号処理により生じる遅延時間を表す。ＴＵｐｓｔｒｅａｍは、伝送路における上りの伝搬遅延を表す。ＴＯＬＴ−Ｒｘ−ＤＳＰは、ＯＬＴ３の受信器（Ｒｘ）に関するデジタル信号処理により生じる遅延時間を表す。
【００３３】
したがって、図３では、デジタル信号処理により生じる総遅延時間は、ＯＬＴ３の送信器に関するデジタル信号処理により生じる遅延時間「ＴＯＬＴ−Ｔｘ−ＤＳＰ」と、ＯＮＵ５の受信器に関するデジタル信号処理により生じる遅延時間「ＴＯＮＵ−Ｒｘ−ＤＳＰ」と、ＯＮＵ５の送信器に関するデジタル信号処理により生じる遅延時間「ＴＯＮＵ−Ｔｘ−ＤＳＰ」と、ＯＬＴ３の受信器に関するデジタル信号処理により生じる遅延時間「ＴＯＬＴ−Ｒｘ−ＤＳＰ」との合計時間である。
【００３４】
図２に戻り、ＤＳＰ−ＰＯＮシステム１のレイヤ構造の例の説明を続ける。ＭＡＣ制御副層３２１は、時間補正部３２１３と、距離取得部３２１４とを備える。ＭＡＣ制御副層３２１は、ディスカバリ処理部３２１１と距離取得部３２１４との間に、時間補正部３２１３を備える。
【００３５】
時間補正部３２１３は、ディスカバリプロセスにおいて測定されたラウンドトリップタイムを表す情報を、ディスカバリ処理部３２１１から取得する。ディスカバリプロセスにおいて測定されたラウンドトリップタイムは、式（２）のように表される。時間補正部３２１３は、ディスカバリプロセスにおいて測定されたラウンドトリップタイムから、デジタル信号処理により生じる遅延時間を減算する。このようにして、時間補正部３２１３は、ラウンドトリップタイムの測定結果を補正する。なお、時間補正部３２１３は、ディスカバリプロセスにおいて測定されたラウンドトリップタイムから、デジタル信号処理により生じる遅延時間の平均値を減算してもよい。
【００３６】
デジタル信号処理により生じる遅延時間は、例えば、予め測定される。デジタル信号処理により生じる遅延時間は、ＤＳＰ処理部３１１やＤＳＰ処理部５１１の仕様に基づいて予め定められてもよい。デジタル信号処理により生じる遅延時間は、所定条件に基づいて予め推定されてもよい。
【００３７】
時間補正部３２１３は、測定されたラウンドトリップタイムからデジタル信号処理により生じる総遅延時間が減算された結果を、距離取得部３２１４に出力する。測定されたラウンドトリップタイムからデジタル信号処理により生じる総遅延時間が減算された結果は、修正されたラウンドトリップタイムを表す情報である。
【００３８】
距離取得部３２１４は、測定されたラウンドトリップタイムからデジタル信号処理により生じる総遅延時間が減算された結果を、時間補正部３２１３から取得する。距離取得部３２１４は、測定されたラウンドトリップタイムからデジタル信号処理により生じる総遅延時間が減算された結果に基づいて、伝送路の距離をＯＮＵ５ごとに得る。ＯＮＵ５−ｘの伝送路の距離ＦＤｘは、式（３）によって表される。
【００３９】
ＦＤｘ＝（Ｔｒｅｓｐｏｎｓｅ−Ｔｗａｉｔ）×１０２  …（３）
【００４０】
ここで、「１０２」は、光ファイバである伝送路内の屈折率（ｍ／μｓ）の例である。「Ｔｒｅｓｐｏｎｓｅ−Ｔｗａｉｔ」は、測定されたラウンドトリップタイムからデジタル信号処理により生じる総遅延時間が減算された結果を表す。すなわち、「Ｔｒｅｓｐｏｎｓｅ−Ｔｗａｉｔ」は、修正されたラウンドトリップタイムを表す。
【００４１】
これによって、距離取得部３２１４は、時間補正部３２１３によって修正されたラウンドトリップタイムに基づいて、伝送路の距離をＯＮＵ５ごとに正確に得ることができる。
【００４２】
ＯＮＵ５の物理層５１の構成は、ＤＳＰ処理部５１１とＡＤＣ／ＤＡＣ５１２とをＰＭＤが備える点を除き、図７に示すＯＮＵの物理層の構成と同様である。ＡＤＣ／ＤＡＣ５１２のＡＤＣは、受信器（Ｒｘ）がＯＬＴ３から受信した下り光信号に応じたアナログ信号を、デジタル信号に変換する。ＡＤＣ／ＤＡＣ５１２のＡＤＣは、ＤＳＰ処理部５１１にデジタル信号を出力する。
【００４３】
ＡＤＣ／ＤＡＣ５１２のＤＡＣは、デジタル信号処理された上り信号を、ＤＳＰ処理部５１１から取得する。ＡＤＣ／ＤＡＣ５１２のＤＡＣは、ＤＳＰ処理部５１１によってデジタル信号処理された上り信号を、アナログ信号に変換する。ＡＤＣ／ＤＡＣ５１２のＤＡＣは、アナログ信号を送信器（Ｔｘ）に出力する。
【００４４】
ＡＤＣ／ＤＡＣ５１２のＡＤＣは、受信器（Ｒｘ）がＯＬＴ３から受信した下り光信号に応じたアナログ信号を、デジタル信号に変換する。ＡＤＣ／ＤＡＣ５１２のＡＤＣは、デジタル信号をＤＳＰ処理部５１１に出力する。ＤＳＰ処理部５１１は、ＡＤＣ／ＤＡＣ５１２のＡＤＣから取得したデジタル信号にデジタル信号処理を施す。ＯＮＵ５のＭＡＣ５２の構成は、図７に示すＯＮＵのＭＡＣの構成と同様でもよい。
【００４５】
以上のように、第１実施形態のＯＬＴ３は、時間補正部３２１３と、距離取得部３２１４とを備える。時間補正部３２１３は、ＯＮＵ５及びＯＬＴ３の間のラウンドトリップタイムの測定結果から、デジタル信号処理により生じる遅延時間を減算する。距離取得部３２１４は、ラウンドトリップタイムから遅延時間が減算された結果に基づいて、ＯＮＵ５及びＯＬＴ３の間の伝送路の距離を得る。これによって、第１実施形態のＯＬＴ３は、ＯＬＴ３及びＯＮＵ５のうちの少なくとも一方がデジタル信号処理を実行する場合でも、伝送路の距離を得ることが可能である。
【００４６】
第１実施形態のＯＬＴ３は、ＯＮＵ５からＯＬＴ３に送信された上り光信号の衝突等による遅延が生じることを防ぐことができる。第１実施形態のＯＬＴ３は、デジタル信号処理により生じる遅延時間に応じて伝送路の距離が実際の距離よりも長い距離に誤検出されることを防ぐことができる。第１実施形態のＯＬＴ３は、修正されたラウンドトリップタイムに基づいて、帯域割当の精度を維持することができる。第１実施形態のＯＬＴ３は、修正されたラウンドトリップタイムに基づいて、光アクセスネットワークを大容量化及び経済化することができる。
【００４７】
（第２実施形態）
第２実施形態では、ディスカバリプロセスにおいて、伝送路を介さずにＯＬＴ３及びＯＮＵ５が互いに通信する点が、第１実施形態と相違する。第２実施形態では、第１実施形態との相違点についてのみ説明する。
【００４８】
ディスカバリ処理部３２１１は、光ファイバ及び光スプリッタ等である伝送路を介さずに互いに接続されているＯＬＴ３及びＯＮＵ５が通信可能な状態で、ディスカバリプロセスにおいて、ＯＬＴ３及びＯＮＵ５の間のラウンドトリップタイムをＯＮＵ５ごとに測定する。時間補正部３２１３は、伝送路を介さずに互いに接続されたＯＮＵ５及びＯＬＴ３の間のラウンドトリップタイムの測定結果に基づいて、デジタル信号処理により生じる遅延時間を得る。
【００４９】
図４は、デジタル信号処理により生じる遅延時間の例を示す図である。第２実施形態では、ＯＬＴ３の送信器（Ｔｘ）に関するＤＳＰ処理部３１１が「Ｄｉｓｃｏｖｅｒｙ  ＧＡＴＥ信号」送信処理を開始してから、ＯＬＴ３の受信器（Ｒｘ）に関するＤＳＰ処理部５１１が「Ｒｅｇｉｓｔｅｒ  ＲＥＱ信号」の受信処理を完了するまでの経過時間には、伝送路における下りの伝搬遅延と、伝送路における上りの伝搬遅延とが含まれていない。ラウンドトリップタイム（ＲＴＴ）は、式（４）によって表される。
【００５０】
ＲＴＴ
＝Ｔｒｅｓｐｏｎｓｅ−Ｔｗａｉｔ
＝ＴＯＬＴ−Ｔｘ−ＤＳＰ＋ＴＯＮＵ−Ｒｘ−ＤＳＰ
＋ＴＯＮＵ−Ｔｘ-ＤＳＰ＋ＴＯＬＴ−Ｒｘ−ＤＳＰ  …（４）
【００５１】
したがって、図４では、デジタル信号処理により生じる総遅延時間は、ＯＬＴ３の送信器に関するデジタル信号処理により生じる遅延時間「ＴＯＬＴ−Ｔｘ−ＤＳＰ」と、ＯＮＵ５の受信器に関するデジタル信号処理により生じる遅延時間「ＴＯＮＵ−Ｒｘ−ＤＳＰ」と、ＯＮＵ５の送信器に関するデジタル信号処理により生じる遅延時間「ＴＯＮＵ−Ｔｘ−ＤＳＰ」と、ＯＬＴ３の受信器に関するデジタル信号処理により生じる遅延時間「ＴＯＬＴ−Ｒｘ−ＤＳＰ」との合計時間である。
【００５２】
このようにしてデジタル信号処理により生じる総遅延時間が定まっている場合、ＯＬＴ３及びＯＮＵ５は、伝送路を介して互いに接続されてもよい。時間補正部３２１３は、伝送路を介してＯＬＴ３及びＯＮＵ５が互いに接続されている状態で測定されたラウンドトリップタイムから、デジタル信号処理により生じる総遅延時間が減算された結果を、距離取得部３２１４に出力する。
【００５３】
距離取得部３２１４は、測定されたラウンドトリップタイムからデジタル信号処理により生じる総遅延時間が減算された結果に基づいて、伝送路の距離をＯＮＵ５ごとに得る。すなわち、距離取得部３２１４は、時間補正部３２１３によって補正されたラウンドトリップタイムの測定結果に基づいて、伝送路の距離をＯＮＵ５ごとに得る。これによって、距離取得部３２１４は、時間補正部３２１３によって修正されたラウンドトリップタイムに基づいて、伝送路の距離をＯＮＵ５ごとに正確に得ることができる。
【００５４】
以上のように、第２実施形態の時間補正部３２１３は、伝送路を介さずに互いに接続されたＯＮＵ５及びＯＬＴ３の間のラウンドトリップタイムの測定結果「Ｔｒｅｓｐｏｎｓｅ」に基づいて、デジタル信号処理により生じる遅延時間を得る。これによって、第２実施形態のＯＬＴ３は、ＯＬＴ３及びＯＮＵ５のうちの少なくとも一方がデジタル信号処理を実行する場合でも、伝送路の距離を得ることが可能である。
【００５５】
（第３実施形態）
第３実施形態では、デジタル信号処理により生じる遅延時間を測定する機能部をＯＬＴ３及びＯＮＵ５のうちの少なくとも一方が備える点が、第１実施形態及び第２実施形態と相違する。第３実施形態では、第１実施形態及び第２実施形態との相違点についてのみ説明する。
【００５６】
図５は、ＤＳＰ−ＰＯＮシステム１のレイヤ構造の例を示す図である。ＯＬＴ３及びＯＮＵ５のうちの少なくとも一方は、デジタル信号処理により生じる遅延時間を測定する機能部を備える。ＯＮＵ５におけるデジタル信号処理により生じる遅延時間を測定する機能部をＯＮＵ５が備えていても、デジタル信号処理により生じる遅延時間がほぼ時間変動しない場合には、ＯＬＴ３は、ＯＮＵ５におけるデジタル信号処理により生じる遅延時間に基づいて、伝送路の距離を得ることが可能である。
【００５７】
ＯＬＴ３の物理層３１の構成は、ＯＬＴ３におけるデジタル信号処理により生じる遅延時間を測定する機能部であるＤＳＰ処理時間測定部３１３を物理層３１が備える点を除き、図２に示すＯＬＴ３の物理層３１の構成と同様である。ＯＮＵ５の物理層５１の構成は、ＯＮＵ５におけるデジタル信号処理により生じる遅延時間を測定する機能部であるＤＳＰ処理時間測定部５１３を物理層３１が備える点を除き、図２に示すＯＮＵ５の物理層５１の構成と同様である。
【００５８】
ＤＳＰ処理時間測定部３１３は、ＯＬＴ３の送信器（Ｔｘ）に関するデジタル信号処理により生じる遅延時間を表す「ＴＯＬＴ−Ｔｘ−ＤＳＰ」と、ＯＬＴ３の受信器（Ｒｘ）に関するデジタル信号処理により生じる遅延時間「ＴＯＬＴ−Ｒｘ−ＤＳＰ」とを測定する。
【００５９】
ＤＳＰ処理時間測定部３１３が遅延時間を測定する方法は、特定の方法に限定されない。例えば、ＤＳＰ処理時間測定部３１３は、ＤＳＰ処理部３１１がデジタル信号（フレーム）の取得を開始すると同時に、カウンタ値の更新を開始する。例えば、ＤＳＰ処理時間測定部３１３は、ＤＳＰ処理部３１１がデジタル信号の送信を終了すると同時に、カウンタ値の更新を停止する。
【００６０】
ＤＳＰ処理時間測定部５１３は、ＯＮＵ５の受信器（Ｒｘ）に関するデジタル信号処理により生じる遅延時間「ＴＯＮＵ−Ｒｘ−ＤＳＰ」と、ＯＮＵ５の送信器（Ｔｘ）に関するデジタル信号処理により生じる遅延時間「ＴＯＮＵ−Ｔｘ−ＤＳＰ」とを測定する。
【００６１】
ＤＳＰ処理時間測定部５１３が遅延時間を測定する方法は、特定の方法に限定されない。例えば、ＤＳＰ処理時間測定部５１３は、ＤＳＰ処理部５１１がデジタル信号の取得を開始すると同時に、カウンタ値の更新を開始する。例えば、ＤＳＰ処理時間測定部５１３は、ＤＳＰ処理部５１１がデジタル信号の送信を終了すると同時に、カウンタ値の更新を停止する。
【００６２】
図５では、デジタル信号処理により生じる総遅延時間は、ＯＬＴ３の送信器に関するデジタル信号処理により生じる遅延時間「ＴＯＬＴ−Ｔｘ−ＤＳＰ」と、ＯＮＵ５の受信器に関するデジタル信号処理により生じる遅延時間「ＴＯＮＵ−Ｒｘ−ＤＳＰ」と、ＯＮＵ５の送信器に関するデジタル信号処理により生じる遅延時間「ＴＯＮＵ−Ｔｘ−ＤＳＰ」と、ＯＬＴ３の受信器に関するデジタル信号処理により生じる遅延時間「ＴＯＬＴ−Ｒｘ−ＤＳＰ」との合計時間である。
【００６３】
時間補正部３２１３は、伝送路を介してＯＬＴ３及びＯＮＵ５が互いに接続されている状態で測定されたラウンドトリップタイムから、デジタル信号処理により生じる総遅延時間が減算された結果を、距離取得部３２１４に出力する。
【００６４】
距離取得部３２１４は、測定されたラウンドトリップタイムからデジタル信号処理により生じる総遅延時間が減算された結果に基づいて、伝送路の距離をＯＮＵ５ごとに得る。これによって、距離取得部３２１４は、ラウンドトリップタイムが時間変動する場合でも、ＤＳＰ処理時間測定部３１３が遅延時間を測定した結果に応じて時間補正部３２１３によって修正されたラウンドトリップタイムに基づいて、伝送路の距離をＯＮＵ５ごとに正確に得ることができる。また、距離取得部３２１４は、ラウンドトリップタイムがほぼ時間変動しない場合、ＤＳＰ処理時間測定部５１３が遅延時間を測定した結果に応じて時間補正部３２１３によって修正されたラウンドトリップタイムに基づいて、伝送路の距離をＯＮＵ５ごとに正確に得ることができる。
【００６５】
以上のように、第３実施形態の時間補正部３２１３は、ＯＮＵ５及びＯＬＴ３の間のラウンドトリップタイムの測定結果から、ＯＮＵ５及びＯＬＴ３のうちの少なくとも一方におけるデジタル信号処理により生じる遅延時間を減算する。これによって、第３実施形態のＯＬＴ３は、ＯＬＴ３及びＯＮＵ５のうちの少なくとも一方がデジタル信号処理を実行する場合でも、伝送路の距離を得ることが可能である。
【００６６】
以上、この発明の実施形態について図面を参照して詳述してきたが、具体的な構成はこの実施形態に限られるものではなく、この発明の要旨を逸脱しない範囲の設計等も含まれる。
【符号の説明】
【００６７】
１…ＤＳＰ−ＰＯＮシステム、３…ＯＬＴ、５…ＯＮＵ、３１…物理層、３２…ＭＡＣ、５１…物理層、５２…ＭＡＣ、３１１…ＤＳＰ処理部、３１２…ＡＤＣ／ＤＡＣ、３１３…ＤＳＰ処理時間測定部、３２１…ＭＡＣ制御副層、５１１…ＤＳＰ処理部、５１２…ＡＤＣ／ＤＡＣ、５１３…ＤＳＰ処理時間測定部、３２１１…ディスカバリ処理部、３２１２…レポート処理部、３２１３…時間補正部、３２１４…距離取得部
【図１】
2019022158.tif 000003
【図２】
2019022158.tif 000004
【図３】
2019022158.tif 000005
【図４】
2019022158.tif 000006
【図５】
2019022158.tif 000007
【図６】
2019022158.tif 000008
【図７】
2019022158.tif 000009
【図８】
2019022158.tif 000010